(57)【要約】【課題】  事前の登録処理が不要であり、簡単に利用者が保有するＩＤカードを定期券として利用することのできる定期券情報管理システムを提供する。【解決手段】  利用者の所有するＩＤカード７のＩＤカード情報を読み取る精算用ＩＤカード読み取り部８と、定期券の定期券情報を読み取る磁気カード読み取り部９とを備えた精算制御部６と、ＩＤカード情報と定期券情報とを関連付けて記憶する入場情報データベース１０と、を備え、精算制御部６は、精算用ＩＤカード読み取り部８により読み取ったＩＤカード情報と、入場情報データベース１０に記憶された定期券情報とを照合し、ＩＤカード情報と定期券情報とが一致する場合に、ＩＤカード７を定期券として認識する。【選択図】      図２
2013088834.tif 000002
【特許請求の範囲】
【請求項１】
利用者の所有するＩＤカードのＩＤカード情報を読み取るカード読み取り部と、定期券の定期券情報を読み取る定期券読み取り部とを備えた定期券情報管理装置と、
前記ＩＤカード情報と前記定期券情報とを関連付けて記憶するデータベースと、を備え、
前記定期券情報管理装置は、前記カード読み取り部により読み取った前記ＩＤカード情報と、前記データベースに記憶された前記定期券情報とを照合し、前記ＩＤカード情報と前記定期券情報とが一致する場合に、前記ＩＤカードを定期券として認識することを特徴とする定期券情報管理システム。
【請求項２】
前記定期券情報管理装置は、出場装置に設置されるものであり、
前記定期券情報管理装置は、前記ＩＤカード情報と前記定期券情報とが一致して前記ＩＤカードを定期券として認識した場合に、前記出場装置の出場処理を行うことを特徴とする請求項１に記載の定期券情報管理システム。
【請求項３】
前記定期券情報管理装置は、出場ゲートが設置された駐車場の精算機に設置されるものであり、
前記定期券情報管理装置は、前記ＩＤカード情報と前記定期券情報とが一致して前記ＩＤカードを定期券として認識した場合に、前記出場ゲートの出場処理を行うことを特徴とする請求項１に記載の定期券情報管理システム。
【請求項４】
前記定期券情報管理装置は、車両の出庫を防止するためのフラップが設置された駐車場の精算機に設置されるものであり、
前記定期券情報管理装置は、前記ＩＤカード情報と前記定期券情報とが一致して前記ＩＤカードを定期券として認識した場合に、前記フラップの出場処理を行うことを特徴とする請求項１に記載の定期券情報管理システム。
【請求項５】
前記定期券情報管理装置は、入場ゲートが設置された駐車場の入場機に設置されるものであり、
前記定期券情報管理装置は、前記ＩＤカード情報と前記定期券情報とが一致して前記ＩＤカードを定期券として認識した場合に、前記入場ゲートの入場処理を行うことを特徴とする請求項１に記載の定期券情報管理システム。
【発明の詳細な説明】
【技術分野】
【０００１】
本発明は定期券情報管理システムに係り、特に、事前の登録処理が不要であり、簡単に利用者が保有するＩＤカードを定期券として利用することを可能とした定期券情報管理システムに関するものである。
【背景技術】
【０００２】
一般に、駐車場においては、駐車場利用者に対して定期券を発行し、定期券で定められた一定の有効期限内は、当該駐車場を自由に利用することができるようにしたシステムがある。このようなシステムとして、ＩＤカードを定期券として利用することができるようにした技術が開発されている。
【０００３】
このような技術として、従来、例えば、管理用カードリーダにより読み取った利用者情報に基づいて生成された定期券登録情報を記録した定期券登録明細書を発行する定期券管理装置と、入場用カードリーダにより読み取られた利用者情報と明細書読み取り部により読み取られた定期券登録情報の利用者情報とを照合し、両利用者情報が一致する場合に定期券の登録処理を行う入場管理装置と、精算用カードリーダにより読み取られた利用者情報と定期券登録情報の利用者情報とを照合し、両利用者情報が一致する場合に出場処理を行う料金精算機と、を備えるようにした技術が開示されている（例えば、特許文献１参照）。
【先行技術文献】
【特許文献】
【０００４】
【特許文献１】特開２０１０−１２８８３７号公報
【発明の概要】
【発明が解決しようとする課題】
【０００５】
しかしながら、前記特許文献１に記載の発明においては、管理用制御部により、あらかじめＩＤ情報と有効期限を含む定期券登録情報を生成し、定期券登録情報を記録した定期券登録証明書を発行するものであるため、ＩＤカードのみにより入出場するためには、事前の登録処理が必要であり、利用者が保有するＩＤカードを利用するための手続が面倒であるという問題を有している。
【０００６】
本発明は前記した点に鑑みてなされたものであり、事前の登録処理が不要であり、簡単に利用者が保有するＩＤカードを定期券として利用することのできる定期券情報管理システムを提供することを目的とするものである。
【課題を解決するための手段】
【０００７】
本発明は前記目的を達成するために、請求項１の発明に係る定期券情報管理システムは、利用者の所有するＩＤカードのＩＤカード情報を読み取るカード読み取り部と、定期券の定期券情報を読み取る定期券読み取り部とを備えた定期券情報管理装置と、
前記ＩＤカード情報と前記定期券情報とを関連付けて記憶するデータベースと、を備え、
前記定期券情報管理装置は、前記カード読み取り部により読み取った前記ＩＤカード情報と、前記データベースに記憶された前記定期券情報とを照合し、前記ＩＤカード情報と前記定期券情報とが一致する場合に、前記ＩＤカードを定期券として認識することを特徴とする。
【０００８】
請求項２に係る発明は、請求項１において、前記定期券情報管理装置は、出場装置に設置されるものであり、前記定期券情報管理装置は、前記ＩＤカード情報と前記定期券情報とが一致して前記ＩＤカードを定期券として認識した場合に、前記出場装置の出場処理を行うことを特徴とする。
【０００９】
請求項３に係る発明は、請求項１において、前記定期券情報管理装置は、出場ゲートが設置された駐車場の精算機に設置されるものであり、前記定期券情報管理装置は、前記ＩＤカード情報と前記定期券情報とが一致して前記ＩＤカードを定期券として認識した場合に、前記出場ゲートの出場処理を行うことを特徴とする。
【００１０】
請求項４に係る発明は、請求項１において、前記定期券情報管理装置は、車両の出庫を防止するためのフラップが設置された駐車場の精算機に設置されるものであり、前記定期券情報管理装置は、前記ＩＤカード情報と前記定期券情報とが一致して前記ＩＤカードを定期券として認識した場合に、前記フラップの出場処理を行うことを特徴とする。
【００１１】
請求項５に係る発明は、請求項１において、前記定期券情報管理装置は、入場ゲートが設置された駐車場の入場機に設置されるものであり、前記定期券情報管理装置は、前記ＩＤカード情報と前記定期券情報とが一致して前記ＩＤカードを定期券として認識した場合に、前記入場ゲートの入場処理を行うことを特徴とする。
【発明の効果】
【００１２】
請求項１に係る発明によれば、定期券情報管理装置により、カード読み取り部により読み取ったＩＤカード情報と、データベースに記憶された定期券情報とを照合し、ＩＤカード情報と定期券情報とが一致する場合に、ＩＤカードを定期券として認識するようにしているので、利用者が保有するＩＤカードを定期券として利用することができる。また、事前の登録処理が不要であり、登録処理の負担を著しく低減させることができる。
【００１３】
請求項２に係る発明によれば、定期券情報管理装置を出場装置に設置し、定期券情報管理装置により、ＩＤカード情報と定期券情報とが一致してＩＤカードを定期券として認識した場合に、出場装置の出場処理を行うようにしているので、利用者が保有するＩＤカードを定期券として利用することができ、ＩＤカードにより、出場装置による出場処理を行うことができる。
【００１４】
請求項３に係る発明によれば、定期券情報管理装置を出場ゲートが設置された駐車場の精算機に設置し、定期券情報管理装置により、ＩＤカード情報と定期券情報とが一致してＩＤカードを定期券として認識した場合に、出場ゲートの出場処理を行うようにしているので、利用者が保有するＩＤカードを駐車場の定期券として利用することができ、ＩＤカードにより、出場ゲートによる出場処理を行うことができる。
【００１５】
請求項４に係る発明によれば、定期券情報管理装置を、車両の出庫を防止するためのフラップが設置された駐車場の精算機に設置し、定期券情報管理装置は、ＩＤカード情報と定期券情報とが一致してＩＤカードを定期券として認識した場合に、フラップの出場処理を行うようにしているので、利用者が保有するＩＤカードを駐車場の定期券として利用することができ、ＩＤカードにより、フラップによる出場処理を行うことができる。
【００１６】
請求項５に係る発明によれば、定期券情報管理装置を、入場ゲートが設置された駐車場の入場機に設置し、定期券情報管理装置は、ＩＤカード情報と定期券情報とが一致してＩＤカードを定期券として認識した場合に、入場ゲートの入場処理を行うようにしているので、利用者が保有するＩＤカードを駐車場の定期券として利用することができ、ＩＤカードにより、入場ゲートによる入場処理を行うことができる。
【図面の簡単な説明】
【００１７】
【図１】本発明に係る定期券情報管理システムの第１実施形態を示す概略構成図である。
【図２】本発明に係る定期券情報管理システムの第１実施形態を示すブロック図である。
【図３】本発明に係る定期券情報管理システムの第１実施形態における精算処理の動作を示すフローチャートである。
【図４】本発明に係る定期券情報管理システムの第１実施形態における入場処理の動作を示すフローチャートである。
【図５】本発明に係る定期券情報管理システムの第２実施形態を示すブロック図である。
【図６】本発明に係る定期券情報管理システムの第２実施形態における精算処理の動作を示すフローチャートである。
【発明を実施するための形態】
【００１８】
以下、本発明の実施の形態について図面を参照しながら説明する。
【００１９】
図１および図２は本発明に係る定期券情報管理システムの第１実施形態を示す概略図である。本実施形態においては、定期券情報管理システム１を入場用カーゲート２および出場用カーゲート３を備えた駐車場の定期券に適用した場合の例を示している。
【００２０】
図１および図２に示すように、本実施形態の定期券情報管理システム１は、駐車場の出場用カーゲート３付近に設置された料金精算機４を備えており、料金精算機４は、出場側車両検知器５により車両が駐車場の出口に接近したことを検出した際に動作を行う定期券情報管理装置としての精算制御部６を備えている。
【００２１】
料金精算機４には、利用者のＩＤカード７のＩＤカード情報を読み取るカード読み取り部としての精算用ＩＤカード読み取り部８が設けられている。このＩＤカード７としては、Ｆｅｌｉｃａカードなどの非接触式カード、クレジットカードなどの磁気記録式カードあるいは運転免許証などが適用可能である。ＩＤカード７として非接触式のカードを用いる場合には、精算用ＩＤカード読み取り部８として非接触式のカードリーダが用いられるものであり、ＩＤカード情報としては、例えば、ＩＤカード７の製造番号などが用いられる。また、ＩＤカード７としてクレジットカードを用いる場合は、挿入式の磁気カードリーダが用いられるものであり、ＩＤカード情報としては、例えば、クレジットカードのカード番号などが用いられる。さらに、ＩＤカード７として運転免許証などを用いる場合は、カメラあるいはラインスキャナなどによるカードリーダを用い、読み取った画像から文字認識することによりＩＤカード情報を取得するものであり、ＩＤカード情報としては、例えば、運転免許証番号などが用いられる。
【００２２】
また、料金精算機４には、磁気カードからなる定期券を読み取って定期券の定期券情報および有効期限情報を読み取る定期券読み取り部として磁気カード読み取り部９が設けられており、料金精算機４には、データベースとしての入場情報データベース１０と通信を行うための精算側通信部１１が設けられている。そして、本実施形態においては、精算側通信部１１を介して、精算用ＩＤカード読み取り部８により読み取られたＩＤカード７のＩＤカード情報と、磁気カード読み取り部９により読み取られた定期券の定期券情報および有効期限情報とを関連付けて入場情報データベース１０に記録するように構成されている。これにより、本実施形態においては、ＩＤカード７を精算用ＩＤカード読み取り部８に読み取らせ、このＩＤカード７のＩＤカード情報を入場情報データベース１０に記録されているＩＤカード情報と照合し、ＩＤカード７のＩＤカード情報に関連付けられた定期券の定期券情報がある場合には、定期券の有効期限情報に基づいて、定期券をＩＤカード７を定期券として利用することができるように構成されている。また、本実施形態においては、入場情報データベース１０にＩＤカード７のＩＤカード情報に関連付けられた定期券の定期券情報および有効期限情報が記録されていない場合には、ＩＤカード７のＩＤカード情報と定期券の定期券情報とを関連付ける新規の登録処理を行うことができるように構成されている。
【００２３】
さらに、料金精算機４には、所定の表示を行う表示部１２が設けられている。
【００２４】
また、本発明の定期券情報管理システム１は、駐車場の入場用カーゲート２付近に設置された入場装置１３を備えており、入場装置１３は、入場側車両検知器１４により駐車場の入口に車両が接近したことを検出した場合に動作を行う入場制御部１５を備えている。入場装置１３には、利用者のＩＤカード７を読み取る入場用ＩＤカード読み取り部１６が設けられており、入場装置１３には、磁気カードからなる定期券を読み取って定期券の定期券情報および有効期限情報を読み取るとともに、駐車場に入場する車両に対して磁気カードからなる駐車券を発行する磁気カード発行・読み取り部１７が設けられている。また、入場装置１３には、入場情報データベース１０と通信を行うための入場側通信部１８が設けられている。
【００２５】
そして、本実施形態においては、入場側通信部１８を介して、入場用ＩＤカード読み取り部１６により読み取られたＩＤカード７のＩＤカード情報と、入場情報データベース１０に記録されているＩＤカード情報と照合し、ＩＤカード７のＩＤカード情報に関連付けられた定期券の定期券情報がある場合には、定期券の有効期限情報に基づいて、定期券をＩＤカード７を定期券として利用することができるように構成されている。
【００２６】
なお、前記実施形態においては、料金精算機４により、ＩＤカード７と定期券とを関連付けて登録するようにしているが、入場装置１３において、ＩＤカード７と定期券とを関連付けて登録するようにしてもよいし、料金精算機４および入場装置１３の両方でＩＤカード７と定期券とを関連付けて登録するようにしてもよい。また、料金精算機４や入場装置１３のみならず、車両に乗車する前に精算を行う事前精算機に同様な構成を設けるようにしてもよい。
【００２７】
次に、本実施形態の作用について説明する。
【００２８】
まず、料金精算機４によるＩＤカード７の登録処理および精算処理について図３に示すフローチャートを参照して説明する。
【００２９】
駐車場の出口に車両が接近したことを出場側車両検知器５が検出したら（ＳＴ１）、精算制御部６を動作させて精算用ＩＤカード読み取り部８により利用者のＩＤカード７の読み取りを行う（ＳＴ２）。その後、精算制御部６により読み取ったＩＤカード７のＩＤカード情報と入場情報データベース１０に記憶されているＩＤカード情報とを照合し（ＳＴ３）、ＩＤカード情報に関連付けられた定期券の定期券情報が入場情報データベース１０に登録されているか否か、定期券が有効期限内か否かを判断する（ＳＴ４）。
【００３０】
そして、ＩＤカード７のＩＤカード情報と関連付けられた定期券の定期券情報が登録されており、かつ、定期券の有効期限が期限内である場合は（ＳＴ４：ＹＥＳ）、ＩＤカード７を定期券として通常の精算処理が行われ（ＳＴ５）、出場用カーゲート３を開放する。
【００３１】
一方、定期券の定期券情報が関連付けられていない場合および有効期限が経過している場合は（ＳＴ４：ＮＯ）、磁気カード読み取り部９により、磁気カードの読み取りを行う（ＳＴ６）。そして、読み取った磁気カードが定期券の場合は（ＳＴ７：ＹＥＳ）、定期券の定期券情報が入場情報データベース１０に登録されているか否か判断する（ＳＴ８）。読み取った磁気カードが定期券でない場合は（ＳＴ７：ＮＯ）、読み取った磁気カードが駐車券であると判断して、通常の精算処理を行う（ＳＴ５）。
【００３２】
そして、入場情報データベース１０に定期券の登録情報がない場合は（ＳＴ８：ＮＯ）、同じＩＤカード７のＩＤカード情報で異なる定期券の定期券情報が登録されているか否かを判断し（ＳＴ９）、入場情報データベース１０に登録されていない場合は（ＳＴ９：ＮＯ）、ＩＤカード情報と定期券の定期券情報とを関連付けて新規に登録する（ＳＴ１０）。一方、入場情報データベース１０に登録情報がある場合は（ＳＴ９：ＹＥＳ）、ＩＤカード７のＩＤカード情報と、今回読み取った定期券の定期券情報とを関連付けて登録する（ＳＴ１１）。
【００３３】
また、入場情報データベース１０に定期券の登録情報がある場合は（ＳＴ８：ＹＥＳ）、ＩＤカード７のＩＤカード情報と、登録されている定期券の定期券情報とを照合し（ＳＴ１２）、両者が一致する場合は（ＳＴ１２：ＹＥＳ）、ＩＤカード７のＩＤカード情報と、定期券の定期券情報とを関連付けて登録を更新する（ＳＴ１３）。また、ＩＤカード７のＩＤカード情報と、登録されている定期券の定期券情報とが一致しない場合は（ＳＴ１２：ＮＯ）、他のＩＤカード７のＩＤカード情報と関連づけられた定期券であると判断されて、この定期券は使用不可となる（ＳＴ１４）。
【００３４】
次に、入場処理について、図４に示すフローチャートを参照して説明する。
【００３５】
まず、入場処理は、駐車場の入口に車両が接近したことを入場側車両検知器１４が検出したら（ＳＴ２０）、入場用制御部を動作させて入場用ＩＤカード読み取り部１６により利用者のＩＤカード７の読み取りを行う（ＳＴ２１）。そして、入場制御部１５により読み取ったＩＤカード７のＩＤカード情報と入場情報データベース１０に記憶されているＩＤカード情報とを照合し、読み取ったＩＤカード情報に関連付けられた定期券情報が登録されているか否か照合する（ＳＴ２２）。そして、ＩＤカード情報に関連付けられた定期券の定期券情報が入場情報データベース１０に登録されているか否か、定期券が有効期限内か否かを判断する（ＳＴ２３）。
【００３６】
そして、ＩＤカード７のＩＤカード情報と関連付けられた定期券の定期券情報が登録されており、かつ、定期券の有効期限が期限内である場合は（ＳＴ２３：ＹＥＳ）、ＩＤカード７を定期券として通常の入場処理が行われる（ＳＴ２４）。
【００３７】
一方、定期券の定期券情報が関連付けられていない場合および有効期限が経過している場合は（ＳＴ２３：ＮＯ）、磁気カード発行・読み取り部１７により、磁気カードの読み取りを行う（ＳＴ２５）。そして、有効な定期券でない場合は（ＳＴ２６：ＮＯ）、磁気カード発行・読み取り部１７により、駐車券を発券し（ＳＴ２７）、駐車券による入場処理を行う（ＳＴ２８）。また、読み取った磁気カードが有効な定期券の場合は（ＳＴ２６：ＹＥＳ）、定期券による入場処理を行う（ＳＴ２９）。
【００３８】
以上述べたように、本実施形態においては、定期券情報をＩＤカード７のＩＤカード情報と関連付けて登録するようにしているので、利用者が保有するＩＤカード７を定期券として利用することができ、駐車場の定期券を携帯することなく、常に携帯しているＩＤカード７を用いて、駐車場の精算処理を行うことができる。また、料金精算機４によりＩＤカード７の登録を行うことができるので、事前の登録処理が不要であり、登録処理の負担を著しく低減させることができる。
【００３９】
次に、本発明に係る定期券情報管理システム１の第２実施形態について、図５を参照して説明する。本実施形態においては、定期券情報管理システム１を  車室に昇降自在とされたフラップ１９を備えた駐車場の定期券に適用した場合の例を示している。
【００４０】
本実施形態においては、料金精算機４には、車室番号の入力や精算処理などの所定の入力操作を行う入力部２０が設けられており、料金精算機４には、精算制御部６により、各フラップ１９の昇降動作を制御するフラップ制御通信部２１が設けられている。
【００４１】
その他の構成は前記第１実施形態と同様であるため同一部分には同一符号を付してその説明を省略する。
【００４２】
次に、本実施形態の作用について図６に示すフローチャートを参照して説明する。
【００４３】
駐車場の利用者が、料金精算機４の入力部２０により精算操作を行うと（ＳＴ３０）、精算制御部６を動作させて精算用ＩＤカード読み取り部８により利用者のＩＤカード７の読み取りを行う（ＳＴ３１）。その後、精算制御部６により読み取ったＩＤカード７のＩＤカード情報と入場情報データベース１０に記憶されているＩＤカード情報とを照合し（ＳＴ３２）、ＩＤカード情報に関連付けられた定期券の定期券情報が入場情報データベース１０に登録されているか否か、定期券が有効期限内か否かを判断する（ＳＴ３３）。
【００４４】
そして、ＩＤカード７のＩＤカード情報と関連付けられた定期券の定期券情報が登録されており、かつ、定期券の有効期限が期限内である場合は（ＳＴ３３：ＹＥＳ）、ＩＤカード７を定期券として通常の精算処理が行われ（ＳＴ３４）、フラップ制御通信部２１により該当する車室のフラップ１９を下降動作させる。
【００４５】
一方、定期券の定期券情報が関連付けられていない場合および有効期限が経過している場合は（ＳＴ３３：ＮＯ）、磁気カード読み取り部９により、磁気カードの読み取りを行う（ＳＴ３５）。そして、読み取った磁気カードが定期券の場合は（ＳＴ３６：ＹＥＳ）、定期券の定期券情報が入場情報データベース１０に登録されているか否か判断する（ＳＴ３７）。読み取った磁気カードが定期券でない場合は（ＳＴ３６：ＮＯ）、読み取った磁気カードが駐車券であると判断して、通常の精算処理を行う（ＳＴ３４）。
【００４６】
そして、入場情報データベース１０に定期券の登録情報がない場合は（ＳＴ３７：ＮＯ）、同じＩＤカード７のＩＤカード情報で異なる定期券の定期券情報が登録されているか否かを判断し（ＳＴ３８）、入場情報データベース１０に登録されていない場合は（ＳＴ３８：ＮＯ）、ＩＤカード情報と定期券の定期券情報とを関連付けて新規に登録する（ＳＴ３９）。一方、入場情報データベース１０に登録情報がある場合は（ＳＴ３８：ＹＥＳ）、ＩＤカード７のＩＤカード情報と、今回読み取った定期券の定期券情報とを関連付けて登録する（ＳＴ４０）。
【００４７】
また、入場情報データベース１０に定期券の登録情報がある場合は（ＳＴ３７：ＹＥＳ）、ＩＤカード７のＩＤカード情報と、登録されている定期券の定期券情報とを照合し（ＳＴ４１）、両者が一致する場合は（ＳＴ４１：ＹＥＳ）、ＩＤカード７のＩＤカード情報と、定期券の定期券情報とを関連付けて登録を更新する（ＳＴ４２）。また、ＩＤカード７のＩＤカード情報と、登録されている定期券の定期券情報とが一致しない場合は（ＳＴ４１：ＮＯ）、他のＩＤカード７のＩＤカード情報と関連づけられた定期券であると判断されて、この定期券は使用不可となる（ＳＴ４３）。
【００４８】
以上述べたように、本実施形態においても前記第１実施形態と同様に、定期券情報をＩＤカード７のＩＤカード情報と関連付けて登録するようにしているので、利用者が保有するＩＤカード７を定期券として利用することができ、駐車場の定期券を携帯することなく、常に携帯しているＩＤカード７を用いて、駐車場の精算処理を行うことができる。また、料金精算機４によりＩＤカード７の登録を行うことができるので、事前の登録処理が不要であり、登録処理の負担を著しく低減させることができる。
【００４９】
なお、前記各実施形態においては、本発明に係る定期券情報管理システム１を駐車場で用いられる定期券について適用した場合について説明したが、その他、例えば、アミューズメントパーク、テーマパークなど、定期券（一日券を含む。）を利用することのできる施設であれば、いずれの施設にも適用することが可能である。
【００５０】
また、本発明は前記実施形態に限定されるものではなく、本発明の趣旨に基づいて種々の変形が可能である。
【符号の説明】
【００５１】
１  定期券情報管理システム
２  入場用カーゲート
３  出場用カーゲート
４  料金精算機
５  出場側車両検知器
６  精算制御部
７  ＩＤカード
８  精算用ＩＤカード読み取り部
９  磁気カード読み取り部
１０  入場情報データベース
１１  精算側通信部
１２  表示部
１３  入場装置
１４  入場側車両検知器
１５  入場制御部
１６  入場用ＩＤカード読み取り部
１７  磁気カード発行・読み取り部
１８  入場側通信部
１９  フラップ
２０  入力部
２１  フラップ制御通信部
【図１】
2013088834.tif 000003
【図２】
2013088834.tif 000004
【図３】
2013088834.tif 000005
【図４】
2013088834.tif 000006
【図５】
2013088834.tif 000007
【図６】
2013088834.tif 000008